Podtech/llm-jp-corpus-v4-ja_patent huggingface dataset:
【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
多孔質支持体膜及び該多孔質支持体膜上に備えられた識別層を含む逆浸透膜であって、
該識別層が分子添加剤化合物を含み、該分子添加剤化合物がアルカリ土類金属を含むβ−ジケトネート錯体である、
前記の逆浸透膜。
【請求項２】
該β−ジケトネート錯体が、アルカリ土類金属に結合した少なくとも１種のアセチルアセトネート(acac)リガンドを含む、請求項１に記載の逆浸透膜。
【請求項３】
該アルカリ土類金属がＭｇ、Ｃａ又はＳｒである、請求項１に記載の逆浸透膜。
【請求項４】
該アルカリ土類金属がＳｒである、請求項１に記載の逆浸透膜。
【請求項５】
該アセチルアセトネート(acac)の各々が少なくとも１つのフッ素を含む、請求項２に記載の逆浸透膜。
【請求項６】
該アセチルアセトネート(acac)の各々が６つのフッ素を含む、請求項２に記載の逆浸透膜。
【請求項７】
該分子添加剤化合物がSr(f6(acac))2である、請求項１に記載の逆浸透膜。
【請求項８】
逆浸透膜の識別層を製造するための組成物であって、
界面重合のためのモノマー、及び
分子添加剤化合物
を含み、該分子添加剤化合物がアルカリ土類金属を含むβ−ジケトネート錯体である、
前記の組成物。
【請求項９】
該界面重合のためのモノマーが求核性モノマー又は求電子性モノマーである、請求項８に記載の逆浸透膜の識別層を製造するための組成物。
【請求項１０】
該β−ジケトネート錯体が、アルカリ土類金属に結合した少なくとも１種のアセチルアセトネート(acac)リガンドを含む、請求項８に記載の逆浸透膜の識別層を製造するための組成物。
【請求項１１】
該アルカリ土類金属がＭｇ、Ｃａ又はＳｒである、請求項８に記載の逆浸透膜の識別層を製造するための組成物。
【請求項１２】
該アルカリ土類金属がＳｒである、請求項８に記載の逆浸透膜の識別層を製造するための組成物。
【請求項１３】
該アセチルアセトネート(acac)の各々が少なくとも１つのフッ素を含む、請求項１０に記載の逆浸透膜の識別層を製造するための組成物。
【請求項１４】
該各アセチルアセトネート(acac)の各々が６つのフッ素を含む、請求項１０に記載の逆浸透膜の識別層を製造するための組成物。
【請求項１５】
該分子添加剤化合物がSr(f6(acac))2である、請求項８に記載の逆浸透膜の識別層を製造するための組成物。
【請求項１６】
逆浸透膜を製造するための方法であって、
ポリアミンモノマーを含む第１の溶液を製造し、
多官能性ハロゲン化アシルモノマーを含む第２の溶液を製造し、そして
多孔質支持体上で、該第１の溶液と該第２の溶液の界面重合反応によって識別層を形成する
ことを含み、
ここで該第１の溶液及び該第２の溶液の少なくとも一方の溶液が分子添加剤化合物を含み、そして該分子添加剤化合物は、アルカリ土類金属を含むβ−ジケトネート錯体である、
前記の方法。
【請求項１７】
該分子添加剤化合物が該第１の溶液と該第２の溶液の界面重合反応中に存在する、請求項１６に記載の逆浸透膜を製造するための方法。
【請求項１８】
該β−ジケトネート錯体が、アルカリ土類金属に結合した少なくとも１種のアセチルアセトネート(acac)リガンドを含む、請求項１６に記載の逆浸透膜を製造するための方法。
【請求項１９】
該アルカリ土類金属がＭｇ、Ｃａ又はＳｒである、請求項１６に記載の逆浸透膜を製造するための方法。
【請求項２０】
該アルカリ土類金属がＳｒである、請求項１６に記載の逆浸透膜を製造するための方法。
【請求項２１】
該アセチルアセトネート(acac)の各々が少なくとも１つのフッ素を含む、請求項１８に記載の逆浸透膜を製造するための方法。
【請求項２２】
該アセチルアセトネート(acac)の各々が６つのフッ素を含む、請求項１８に記載の逆浸透膜を製造するための方法。
【請求項２３】
該分子添加剤化合物がSr(f6(acac))2である、請求項１６に記載の逆浸透膜を製造するための方法。
【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
遊技中に第１事象又は第２事象が発生したことを契機として、その事象別に抽選要素としての乱数及び種類決定要素としての乱数をそれぞれ取得する要素取得手段と、
前記要素取得手段により取得された抽選要素としての乱数及び種類決定要素としての乱数を、その取得の契機となった前記第１事象又は前記第２事象別に記憶する事象別記憶手段と、
前記事象別記憶手段に記憶された前記抽選要素としての乱数に基づいて、その取得の契機となった前記第１事象又は前記第２事象に応じて所定の第１図柄又は第２図柄に対応する内部抽選を実行する図柄別抽選実行手段と、
前記図柄別抽選実行手段により前記内部抽選が行われると、その対応する前記第１図柄又は前記第２図柄を変動表示させた後、前記内部抽選の結果を表す態様で前記第１図柄又は前記第２図柄を停止表示させる図柄表示手段と、
前記内部抽選で得られる当選について、その対応する前記第１図柄又は前記第２図柄別に前記図柄表示手段により停止表示される当選図柄について予め複数の種類を規定するとともに、その当選が得られた前記内部抽選が前記第１図柄に対応する場合と前記第２図柄に対応する場合とで、前記種類決定要素としての乱数について予め設定された複数の数値範囲に対してそれぞれ当選図柄の種類を割り当てて記憶する当選図柄記憶手段と、
前記図柄別抽選実行手段による前記内部抽選で当選した場合、前記事象別記憶手段により記憶された前記種類決定要素としての乱数に基づいて、その当選が得られた前記内部抽選に対応する前記第１図柄又は前記第２図柄について前記当選図柄記憶手段に記憶された複数種類の当選図柄の中からいずれか１つを選択的に決定する当選図柄決定手段とを備え、
前記当選図柄記憶手段は、
前記複数の数値範囲の中には、前記当選図柄決定手段による当選図柄の決定に際して少なくとも前記第１図柄と前記第２図柄とで互いに当選図柄の種類が異なったものとなる数値範囲を含んでいることを特徴とする遊技機。
【請求項２】
請求項１に記載の遊技機において、
前記当選図柄記憶手段は、
前記複数の数値範囲の中には、前記当選図柄決定手段による当選図柄の決定に際して前記第１図柄と前記第２図柄とで互いに当選図柄の種類が同一のものとなる数値範囲をさらに含むことを特徴とする遊技機。
【請求項３】
請求項１又は２に記載の遊技機において、
前記当選図柄記憶手段は、
前記第１図柄と前記第２図柄とで同一の内容である前記種類決定要素としての乱数に対し、前記第１図柄に対応する場合と前記第２図柄に対応する場合とで、互いに異なる種類の当選図柄を割り当てて記憶していることを特徴とする遊技機。
【請求項４】
請求項１から３のいずれかに記載の遊技機において、
前記図柄表示手段により前記第１図柄又は前記第２図柄がいずれかの種類の当選図柄の態様で停止表示されると、特別遊技を実行する特別遊技実行手段と、
前記特別遊技実行手段による前記特別遊技の実行中における利益の大きさを、前記図柄表示手段により表示された当選図柄の種類に応じて異ならせて設定する図柄別利益設定手段とをさらに備え、
前記当選図柄記憶手段は、
前記第１図柄と前記第２図柄とで同一の内容である前記当選種決定要素としての乱数に対し、前記内部抽選が前記第１図柄に対応する場合と前記第２図柄に対応する場合とで、前記図柄別利益設定手段により設定された利益の大きさが互いに異なる種類の当選図柄を割り当てて記憶していることを特徴とする遊技機。
【請求項５】
請求項４に記載の遊技機において、
前記図柄表示手段により前記第１図柄又は前記第２図柄が特定種類の当選図柄の態様で停止表示されると、前記特別遊技実行手段による前記特別遊技の終了後に前記図柄別抽選実行手段による前記内部抽選の確率を通常よりも高く変更した高確率状態に移行させる高確率状態移行手段をさらに備え、
前記当選図柄記憶手段は、
前記第１図柄と前記第２図柄とで同一の内容である前記当選種決定要素としての乱数に対し、前記内部抽選が前記第１図柄に対応する場合には前記特定種類の当選図柄の中でも前記図柄別利益設定手段により設定された利益の大きさが最小となる種類の当選図柄を割り当てる一方、前記内部抽選が前記第２図柄に対応する場合には、前記特定種類の当選図柄の中でも前記図柄別利益設定手段により設定された利益の大きさが最大となるか、もしくは最小よりも大きい種類の当選図柄を割り当てて記憶していることを特徴とする遊技機。
【手続補正２】
【補正対象書類名】明細書
【補正対象項目名】００１７
【補正方法】変更
【補正の内容】
【００１７】
（２）また、ある決まった内容の種類決定要素（例えば、ある決まった比較値や一定の乱数値の範囲）に対して、それまで第１図柄と第２図柄とで互いに同じ種類の当選図柄（例えば１５ラウンドの確変図柄）が割り当てられていた場合、その基本的な遊技仕様は「第１図柄、第２図柄のいずれで当選しても同じ結果（１５ラウンドの確変大当り）が得られ、確変比率は種類決定要素の記憶内容（乱数値の範囲）に依存する」ものとなる。この状態から、当選図柄記憶手段の記憶上で第１図柄についてのみ当選図柄を別の種類（例えば２ラウンドの確変図柄）に変更すれば、確変比率を変えることなく、容易に基本的な遊技仕様（図柄別で異なるラウンド数の割合）を変更することができる。この場合の遊技仕様は、「確変の割合は同じであるが、第１図柄で当選したときよりも第２図柄で当選した方が利益の大きい結果が得られる」というものとなる。このような遊技仕様の変更を行っても、種類決定要素の記憶内容（確変比率を決定するもの）は第１図柄と第２図柄とで共有されているため、図柄別に確変比率が整合しているかどうかを一々確認する必要がない。
本発明の遊技機によれば、種類決定要素に対する第１図柄と第２図柄の当選図柄の割り当てを１つの記憶手段（データテーブル）で記憶し、その割り当てを図柄別で行っていることから、種類決定要素の記憶内容を変更したり、あるいは、同じ種類決定要素に対する当選図柄の割り当てを図柄別に変更したりしても、図柄同士の不整合が発生することを確実に防止することができる。また、記憶内容の修正や変更に要する作業負担が軽減されるため、それだけ短期間で容易に遊技仕様を多様化した商品展開を進めることができ、それによって遊技産業の活性化に大きく寄与する。
【手続補正３】
【補正対象書類名】明細書
【補正対象項目名】００４４
【補正方法】変更
【補正の内容】
【００４４】
本発明の遊技機によれば、記憶内容の修正や変更に要する作業負担が軽減される。
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
第１識別情報の可変表示と第２識別情報の可変表示とを行い、遊技者にとって有利な有利状態に制御可能な遊技機であって、
第２識別情報の可変表示は第１識別情報の可変表示に優先して実行され、
遊技の進行を制御する遊技制御手段と、
前記遊技制御手段からの情報にもとづいて演出を制御する演出制御手段とを備え、
前記遊技制御手段は、
未だ開始されていない可変表示について、保留記憶として記憶する保留記憶手段と、
前記有利状態に制御するか否かを決定する決定手段と、
前記決定手段の決定よりも前に前記有利状態に制御されるか否かを判定する判定手段と、
保留記憶が増加したことを認識可能な保留記憶情報と、前記判定手段の判定結果を示す判定結果情報とを送信する情報送信手段とを含み、
前記演出制御手段は、
前記判定結果情報にもとづいて、前記有利状態に制御されることを複数種類の演出態様から選択された演出態様により予告する予告演出を、前記判定手段による判定の対象となった可変表示が開始される以前に実行する予告演出実行手段と、
少なくとも前記保留記憶情報の一部を正常に受信することができなかった場合には、前記複数種類の演出態様のうちの一部の演出態様による予告演出の実行を許容する予告演出一部許容手段とを含み、
少なくとも前記有利状態において、前記第１識別情報の可変表示を対象とする予告演出の実行を制限する予告演出制限手段をさらに備えた
ことを特徴とする遊技機。
【手続補正２】
【補正対象書類名】明細書
【補正対象項目名】０００１
【補正方法】変更
【補正の内容】
【０００１】
本発明は、第１識別情報の可変表示と第２識別情報の可変表示とを行い、遊技者にとって有利な有利状態に制御可能なパチンコ遊技機等の遊技機に関する。
【手続補正３】
【補正対象書類名】明細書
【補正対象項目名】０００４
【補正方法】変更
【補正の内容】
【０００４】
パチンコ遊技機では、始動入賞口に遊技球が入賞したことにもとづいて可変表示装置の表示画面において開始される特別図柄（識別情報）の可変表示の表示結果として、あらかじめ定められた特定表示結果が導出表示された場合に、「大当り（有利状態にすること）」が発生する。なお、導出表示とは、図柄を停止表示させることである。大当りが発生すると、例えば、大入賞口が所定回数開放して打球が入賞しやすい大当り遊技状態に移行する。そして、各開放期間において、所定個（例えば１０個）の大入賞口への入賞があると大入賞口は閉成する。そして、大入賞口の開放回数は、所定回数（例えば１５ラウンド）に固定されている。なお、各開放について開放時間（例えば２９秒）が決められ、入賞数が所定個に達しなくても開放時間が経過すると大入賞口は閉成する。以下、各々の大入賞口の開放期間をラウンドということがある。
【手続補正４】
【補正対象書類名】明細書
【補正対象項目名】００１０
【補正方法】変更
【補正の内容】
【００１０】
そこで、本発明は、予告演出の信頼性が低下することを防止することを目的とする。
【手続補正５】
【補正対象書類名】明細書
【補正対象項目名】００１１
【補正方法】変更
【補正の内容】
【００１１】
（１）本発明による遊技機は、第１識別情報の可変表示と第２識別情報の可変表示とを行い、遊技者にとって有利な有利状態（例えば、大当り遊技状態）に制御可能な遊技機であって、第２識別情報の可変表示は第１識別情報の可変表示に優先して実行され、遊技の進行を制御する遊技制御手段（例えば、遊技制御用マイクロコンピュータ５６０）と、遊技制御手段からの情報にもとづいて演出を制御する演出制御手段（例えば、演出制御用マイクロコンピュータ１００）とを備え、遊技制御手段は、未だ開始されていない可変表示について、保留記憶として記憶する保留記憶手段（例えば、図２０（Ｂ）に示す第１保留記憶バッファおよび第２保留記憶バッファ）と、有利状態に制御するか否かを決定する決定手段と、決定手段の決定よりも前に有利状態に制御されるか否かを判定する判定手段と、保留記憶が増加したことを認識可能な保留記憶情報（例えば、始動入賞指定コマンド、合算保留記憶数指定コマンド）と、判定手段の判定結果を示す判定結果情報（例えば、図柄指定コマンド、変動カテゴリコマンド）とを送信する情報送信手段とを含み、演出制御手段は、判定結果情報にもとづいて、有利状態に制御されることを複数種類の演出態様（例えば、「保留球変化」、「図柄変動時の変動形態の変化」、「モード移行」、「カウントダウン」の態様）から選択された演出態様により予告する予告演出（例えば、先読み予告演出）を、判定手段による判定の対象となった可変表示が開始される以前に実行する予告演出実行手段（例えば、演出制御用マイクロコンピュータ１００におけるステップＳ６０１７，Ｓ６０１８，Ｓ８１０８の処理を実行する部分）と、少なくとも保留記憶情報の一部を正常に受信することができなかった場合（例えば、第１始動入賞指定コマンドまたは第２始動入賞指定コマンドと合算保留記憶数指定コマンドとのいずれかを受信することができなかった場合）には、複数種類の演出態様のうちの一部の演出態様による予告演出の実行を許容する予告演出一部許容手段（例えば、演出制御用マイクロコンピュータ１００におけるステップＳ６００４の処理で「Ｎ」となったときにステップＳ６０２３，Ｓ６０２６，Ｓ６０２９，Ｓ６０３７〜Ｓ６０３９の処理を実行する部分）とを含み、少なくとも有利状態において、第１識別情報の可変表示を対象とする予告演出の実行を制限する予告演出制限手段をさらに備えたことを特徴とする。
そのような構成によれば、予告演出の信頼性が低下することを防止することができる。
【手続補正６】
【補正対象書類名】明細書
【補正対象項目名】００１５
【補正方法】削除
【補正の内容】
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
フィルター、布、繊維、発泡体、フィルム、コンクリート、レンガ、ガラス、金属及びプラスチックからなる群から選択される表面に単細胞生物が接着するのを予防する方法であって、該方法は該単細胞生物を細胞毒性又は細胞増殖抑制性の活性を欠き、かつＹＤＹＮＷＹ(配列番号１)、ＹＤＹＮＬＹ（配列番号２）、ＦＤＹＮＦＹ（配列番号３）、ＦＤＹＮＬＹ（配列番号４）、ＷＤＹＮＬＹ（配列番号８）、ＦＤＹＮＷＹ（配列番号５）、ＹＤＷＮＬＹ（配列番号６）、及びＹＤＷＨＬＹ（配列番号７）からなる群から選択される配列の１つを含むペプチドを含む組成物に接触させることを含み、該組成物が前記表面への前記単細胞生物の接着を予防又は低減するとともに、前記ペプチドは環状であり、５０長以下のアミノ酸を含むことを特徴とする方法。
【請求項２】
請求項１に記載の方法において、前記配列ＹＤＹＮＷＹ（配列番号１）が配列ＬＦＳＶＰＹＤＹＮＷＹＳＮＷＷ（配列番号９）又は配列ＬＦＳＶＰＹＤＹＮＬＹＳＮＷＷ（配列番号５７）のタンパク質の中に含まれていることを特徴とする方法。
【請求項３】
請求項１に記載の方法において、前記配列ＹＤＹＮＬＹ（配列番号２）が配列ＭＦＳＶＰＹＤＹＮＬＹＳＮＷＶ（配列番号５８）のタンパク質の中に含まれていることを特徴とする方法。
【請求項４】
請求項１に記載の方法において、前記配列ＦＤＹＮＦＹ（配列番号３）が配列ＭＦＳＶＰＦＤＹＮＦＹＳＮＷＷ（配列番号１１）又は配列ＬＦＳＶＰＦＤＹＮＦＹＳＮＷＷ（配列番号５９）のタンパク質の中に含まれていることを特徴とする方法。
【請求項５】
請求項１に記載の方法において、前記配列ＦＤＹＮＬＹ（配列番号４）がＬＦＳＶＰＦＤＹＮＬＹＳＮＷＷ（配列番号１８）、ＬＦＳＩＰＦＤＹＮＬＹＳＮＷＷ（配列番号６０）、ＭＦＳＶＰＦＤＹＮＬＹＳＮＷＷ（配列番号１２）、ＭＦＳＶＰＦＤＹＮＬＹＴＮＷＷ(配列番号１３)、ＭＷＳＶＰＦＤＹＮＬＹＳＮＷＷ（配列番号１４）及びＭＦＳＶＰＦＤＹＮＬＹＫＮＷＬ（配列番号１６）からなる群から選択される配列のタンパク質の中に含まれていることを特徴とする方法。
【請求項６】
請求項１に記載の方法において、前記配列ＷＤＹＮＬＹ（配列番号８）が配列ＭＦＳＶＰＷＤＹＮＬＹＫＮＷＦ（配列番号１５）のタンパク質の中に含まれていることを特徴とする方法。
【請求項７】
請求項１に記載の方法において、前記配列ＦＤＹＮＷＹ（配列番号５）が配列ＭＦＳＶＰＦＤＹＮＷＹＳＮＷＷ（配列番号５４）のタンパク質の中に含まれていることを特徴とする方法。
【請求項８】
請求項１に記載の方法において、前記配列ＹＤＷＮＬＹ（配列番号６）が配列ＭＡＳＩＰＹＤＷＮＬＹＱＳＷＡ（配列番号１９）又は配列ＭＡＳＩＰＹＤＷＮＬＹＳＡＷＡ（配列番号２０）のタンパク質の中に含まれていることを特徴とする方法。
【請求項９】
請求項１に記載の方法において、前記配列ＹＤＷＨＬＹ（配列番号７）が配列ＭＡＳＩＰＹＤＷＨＬＹＮＡＷＡ（配列番号２１）のタンパク質の中に含まれていることを特徴とする方法。
【請求項１０】
請求項１に記載の方法において、前記組成物が凍結乾燥に耐性があることを特徴とする方法。
【請求項１１】
請求項１に記載の方法において、前記組成物が細胞の凝集を阻害することを特徴とする方法。
【請求項１２】
請求項１に記載の方法において、前記単細胞生物がバイオフィルム中に含まれていることを特徴とする方法。
【請求項１３】
請求項１に記載の方法において、前記単細胞生物が細菌、真菌、原生動物及び古細菌からなる群から選択されることを特徴とする方法。
【請求項１４】
請求項１３に記載の方法において、前記真菌が酵母を含むことを特徴とする方法。
【請求項１５】
請求項１に記載の方法において、前記組成物が霧状、ゲル及び塗料からなる群から選択される形態にあることを特徴とする方法。
【請求項１６】
水を処理して、バイオフィルムの形成又はフィルターの汚損を予防又は低減する方法であって、細胞毒性又は細胞増殖抑制性の活性を欠き、かつＹＤＹＮＷＹ（配列番号１）、ＹＤＹＮＬＹ（配列番号２）、ＦＤＹＮＦＹ（配列番号３）、ＦＤＹＮＬＹ（配列番号４）、ＷＤＹＮＬＹ（配列番号８）、ＦＤＹＮＷＹ(配列番号５)、ＹＤＷＮＬＹ（配列番号６）、及びＹＤＷＨＬＹ（配列番号７）からなる群から選択される配列の１つを含む単離ペプチドを含む組成物で前記水を処理することを含み、前記ペプチドは環状であり、５０長以下のアミノ酸を有することを特徴とする方法。
【請求項１７】
動物の身体を由来としない流体中でのバイオフィルムの形成を予防又は低減する方法であって、細胞毒性又は細胞増殖抑制性の活性を欠き、かつＹＤＹＮＷＹ（配列番号１）、ＹＤＹＮＬＹ（配列番号２）、ＦＤＹＮＦＹ（配列番号３）、ＦＤＹＮＬＹ（配列番号４）、ＷＤＹＮＬＹ（配列番号８）、ＦＤＹＮＷＹ（配列番号５）、ＹＤＷＮＬＹ（配列番号６）、及びＹＤＷＨＬＹ（配列番号７）からなる群から選択される配列の１つを含む単離ペプチドを含む組成物で前記流体を処理することを含み、前記ペプチドは環状であり、５０長以下のアミノ酸を含むことを特徴とする方法。
【請求項１８】
請求項１に記載の方法において、前記フィルターは逆浸透フィルターであることを特徴とする方法。
【手続補正書】
【提出日】平成27年4月17日(2015.4.17)
【手続補正１】
【補正対象書類名】明細書
【補正対象項目名】００６５
【補正方法】変更
【補正の内容】
【００６５】
ブロック体８８ａ、８８ｂは、例えば、ピストンロッド７８の軸方向（矢印Ａ、Ｂ方向）と直交方向（矢印Ｃ方向）に延在し、その中心部には前記ピストンロッド７８に連結される軸部（図示せず）が形成されている。そして、軸部の端部が、ブロック体８８ａ、８８ｂの溝部に係合されることでピストンロッド７８の軸方向と直交した状態で連結され、該ピストンロッド７８と共に一体的に変位する。
【手続補正２】
【補正対象書類名】明細書
【補正対象項目名】０１１２
【補正方法】変更
【補正の内容】
【０１１２】
また、リンクプレート１０４には、その表面に抜け止めプレート１１４が装着され、図１０及び図１１に示されるように、その端部がそれぞれリンクピン１０６及びローラピン９２の外周面に形成された係合溝１１２ａ、１１２ｂに係合される。そして、抜け止めプレート１１４は、一組の固定ボルト１１６によってリンクプレート１０４に対して固定される。すなわち、リンクピン１０６及びローラピン９２は、リンクプレート１０４の一端部及び他端部に挿通された状態で、抜け止めプレート１１４によって抜け止めがなされ軸方向に脱抜することがない。
【手続補正３】
【補正対象書類名】図面
【補正対象項目名】図１１
【補正方法】変更
【補正の内容】
【図１１】
2015037827.tif 000001
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
発熱分解しやすい化合物と、場合によっては１つ又はそれ以上の有機希釈剤とを含む充填された配合物であって、ガスを放出するためのガス抜き口を備え、かつ、ビカットＢ軟化温度が、（ａ）配合物が希釈剤を何ら含有しないならば、発熱分解しやすい化合物の暴走温度以下であり、又は、（ｂ）配合物が有機希釈剤を実際に含有するならば、希釈剤の総重量の少なくとも９０ｗｔ％の沸騰温度以下である熱可塑性材料から作製される、体積が少なくとも２５０リットルである容器において充填され、
前記容器の壁が０．５ｍｍ〜５ｍｍの範囲における平均厚さを有し、前記容器が０．５ｂａｒ〜２．０ｂａｒの範囲における破裂圧力を有する充填された配合物。
【請求項２】
前記発熱分解しやすい化合物が有機ペルオキシドである、請求項１に記載の充填された配合物。
【請求項３】
有機希釈剤を含有し、希釈剤の総重量の少なくとも５０ｗｔ％が、前記熱可塑性材料の軟化温度よりも少なくとも５℃高い沸騰温度を有する、請求項１又は２に記載の充填された配合物。
【請求項４】
有機希釈剤を含有し、前記有機希釈剤が、イソドデカン及び鉱油からなる群より選択される、請求項１から３のいずれか一項に記載の充填された配合物。
【請求項５】
前記発熱分解しやすい化合物と、１つ又はそれ以上の有機希釈剤と、さらなる希釈剤としての水とを含む乳化物である、請求項１から４のいずれか一項に記載の充填された配合物。
【請求項６】
前記熱可塑性材料が高密度ポリエチレン（ＨＤＰＥ）である、請求項１から５のいずれか一項に記載の充填された配合物。
【請求項７】
前記容器の壁が０．５ｍｍ〜３．５ｍｍの範囲における平均厚さを有する、請求項１から６のいずれか一項に記載の充填された配合物。
【請求項８】
前記容器が、注ぎ口開口部と、注ぎ口開口部の周囲に沿った首部と、注ぎ口開口部を覆うための本体部プレートを含むガス抜き用カバー部とを有し、前記本体部プレートには、ガス抜き開口部があり、かつ、前記首部の外側面における対応する締結手段と共同するための締結手段を備える内側の周囲表面を有するフランジがその周囲に沿って配置されて存在しており、前記ガス抜き開口部が、前記首部の前記締結手段と、前記フランジとの間に固定されるシートであることにおいて特徴づけられるガス透過性フィルターによって覆われる、請求項１から７のいずれか一項に記載の充填された配合物。
【請求項９】
発熱分解しやすい化合物と、場合によっては１つ又はそれ以上の希釈剤とを含む配合物を貯蔵及び／又は輸送するための方法であって、前記配合物が、ガスを放出するためのガス抜き口を備え、かつ、ビカットＢ軟化温度が、（ａ）組成物が希釈剤を何ら含有しないならば、発熱分解しやすい化合物の暴走温度以下であり、又は、（ｂ）組成物が有機希釈剤を実際に含有するならば、希釈剤の総重量の少なくとも９０ｗｔ％の沸騰温度以下である熱可塑性材料から作製される、体積が少なくとも２５０リットルである容器において貯蔵及び／又は輸送され、
前記容器の壁が０．５ｍｍ〜５ｍｍの範囲における平均厚さを有し、前記容器が０．５ｂａｒ〜２．０ｂａｒの範囲における破裂圧力を有する、方法。
【請求項１０】
ポリマーを、有機ペルオキシドをフリーラジカルの供給源として使用するラジカル重合プロセスによって製造するための方法であって、請求項２に記載される充填された配合物を重合装置のところに輸送すること、及び、前記配合物を重合プロセスに導入することを伴う、方法。
【請求項１１】
請求項２に記載される充填された配合物をポリマー修飾装置のところに輸送すること、及び、前記配合物をプロセスに導入することによる、（コ）ポリマーを修飾する方法。
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
照明付き外科用開創器システムであって、前記システムは、
開創器であって、前記開創器は、術野に直面する前面、前記前面の上に配置されたヘッド、組織に係合することにより前記術野を暴露するように適応した後面、遠位端、近位端、および、形状を備える、開創器と、
光ガイドであって、前記光ガイドは、前記前面を覆って配置され、前記開創器の前記形状に一致し、前記開創器に固定され、前記光ガイドは、インプットアダプター、照明区域、および、前記ヘッドの周囲を回る光分岐伝達子を有し、前記光分岐伝達子は、前記インプットアダプターと前記照明区域との間に配置される、光ガイドと
を備える、システム。
【請求項２】
前記照明区域は、複数の切子面を備え、各切子面は、段差面およびステップ面、ならびに、前記段差面と前記ステップ面との間に形成された切子面角度を有する、請求項１に記載のシステム。
【請求項３】
前記ステップ面は、前記光ガイドにおける光の全体的内部反射を支援し、前記段差面は、切子面から発する光を屈折させることにより前記切子面から発する前記光の方向を変化させる光発射面である、請求項２に記載のシステム。
【請求項４】
前記切子面角度は、切子面毎に異なっている、請求項２に記載のシステム。
【請求項５】
前記照明区域は、複数の曲面切子面を含む、請求項１に記載のシステム。
【請求項６】
前記光ガイドは、前記開創器の前記遠位端の近位にある遠位端を有し、前記開創器は、前記光ガイドの前記遠位端の近くに屈曲部を備え、それによって、前記光ガイドと前記開創器の前記前面とは、平面を模倣する、請求項１に記載のシステム。
【請求項７】
前記開創器は、Ｃａｓｐａｒ型ブレード開創器である、請求項１に記載のシステム。
【請求項８】
前記光ガイドの幅は、前記光ガイドの前記近位端から前記光ガイドの前記遠位端に向かって変化する、請求項１に記載のシステム。
【請求項９】
前記インプットアダプターに照明エネルギーを供給する光源をさらに含む、請求項１に記載のシステム。
【請求項１０】
前記光ガイドは、前記開創器に対し取り外し可能に固定される、請求項１に記載のシステム。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
複数種類の図柄が施され、回転駆動される複数のリールと、
前記複数のリールを個別に停止させるために操作されるストップボタンと、
定速状態へ移行させる加速制御、該定速状態を維持する定速制御、および停止状態へ移行させる停止制御を、前記複数のリールのそれぞれに対して実行可能に構成されたリール制御手段と、
数値を更新する数値更新手段と、
前記数値更新手段から数値を取得する数値取得手段と、
前記加速制御が実行されるタイミングを遅延させる遅延手段と、を備え、
前記数値取得手段によって前記数値更新手段から取得された数値を用いて遅延量を決定し、決定された該遅延量だけ前記加速制御が実行されるタイミングを遅延させる遅延制御を、前記複数のリールのうちの少なくとも二つ以上のリールのそれぞれに対して実行可能に構成された遊技台であって、
前記数値更新手段は、
決められた数値範囲で数値を更新する更新チャネルを有するものであって、
前記遅延制御の対象となるリールと同じ数の前記更新チャネルを少なくとも有するものであり、
前記数値取得手段は、
前記遅延量を決定するための数値を取得するにあたり、前記遅延制御の対象となる他のリールと重複しない前記更新チャネルから数値を取得するものであることを特徴とする遊技台。
【手続補正２】
【補正対象書類名】明細書
【補正対象項目名】０００７
【補正方法】変更
【補正の内容】
【０００７】
上記課題を解決するため、本発明の遊技台は、
複数種類の図柄が施され、回転駆動される複数のリールと、
前記複数のリールを個別に停止させるために操作されるストップボタンと、
定速状態へ移行させる加速制御、該定速状態を維持する定速制御、および停止状態へ移行させる停止制御を、前記複数のリールのそれぞれに対して実行可能に構成されたリール制御手段と、
数値を更新する数値更新手段と、
前記数値更新手段から数値を取得する数値取得手段と、
前記加速制御が実行されるタイミングを遅延させる遅延手段と、を備え、
前記数値取得手段によって前記数値更新手段から取得された数値を用いて遅延量を決定し、決定された該遅延量だけ前記加速制御が実行されるタイミングを遅延させる遅延制御を、前記複数のリールのうちの少なくとも二つ以上のリールのそれぞれに対して実行可能に構成された遊技台であって、
前記数値更新手段は、
決められた数値範囲で数値を更新する更新チャネルを有するものであって、
前記遅延制御の対象となるリールと同じ数の前記更新チャネルを少なくとも有するものであり、
前記数値取得手段は、
前記遅延量を決定するための数値を取得するにあたり、前記遅延制御の対象となる他のリールと重複しない前記更新チャネルから数値を取得するものであることを特徴とする。
【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
遊技者所有の遊技用価値を用いて持点を加算する遊技用装置と通信可能に接続するための接続部を備え、持点による遊技が可能であり、入賞の発生に応じて持点が加算される遊技機であって、
内部に封入される遊技媒体により遊技が可能であり、
遊技への使用および入賞の発生に応じた持点の変化量を特定する特定手段と、
前記変化量を特定可能な更新情報を前記遊技用装置へ送信する情報送信手段と、
持点を記憶する持点記憶手段と、
持点の減算を指示するための情報、および前記遊技用装置が当該遊技用装置側で記憶している持点に対して前記遊技用価値の使用分の持点を加算をすることに連動して当該遊技用装置側より送信される持点の加算を指示するための情報を受信する指示情報受信手段と、
前記持点記憶手段が記憶している持点を前記変化量に応じて更新するとともに前記持点の加算を指示するための情報に応じて加算更新する持点更新手段と、
持点の減算を指示するための情報を受信したときに、当該情報が減算指示する大きさの持点が前記持点記憶手段に記憶されているか否かを判定する持点判定手段とを含み、
前記情報送信手段は、前記情報が減算指示する大きさの持点が前記持点記憶手段に記憶されていると前記持点判定手段によって判定されたときに持点減算の承諾応答を前記遊技用装置へ送信することにより、前記遊技用装置に対して、当該遊技用装置側で記憶している持点から前記情報によって減算指示した持点の減算を行なわせることを可能とする、遊技機。
【請求項２】
前記持点更新手段は、持点の減算指示をキャンセルするための情報を受信したとき、前記持点記憶手段が記憶している持点に減算指示のキャンセル分に対応する持点を加算する、請求項１に記載の遊技機。
【請求項３】
前記情報送信手段は、減算指示された大きさの持点が前記持点記憶手段に記憶されていないと前記持点判定手段によって判定されたときに減算拒否応答を前記遊技用装置へ送信する、請求項１または請求項２に記載の遊技機。
【請求項４】
前記持点記憶手段が記憶している持点に基づいた遊技制御を行なう遊技制御手段を含む、請求項１〜請求項３のいずれかに記載の遊技機。
【請求項５】
前記更新情報の送信を指示するための情報を前記遊技用装置より受信する指示情報受信手段を含み、
前記情報送信手段は、前記更新情報の送信を指示するための情報を受信する毎に、当該情報を前回受信してから今回受信するまでの間の前記変化量を示す更新情報を送信する、請求項１〜請求項４のいずれかに記載の遊技機。
【請求項６】
前記持点記憶手段が記憶している持点を前記遊技用装置が記憶している持点に補正するための補正情報を受信したときに、当該補正情報に基づいて前記持点記憶手段が記憶している持点を補正する持点補正手段を含む、請求項１〜請求項５のいずれかに記載の遊技機。
【請求項７】
前記遊技機は弾球遊技機であって、
前記情報送信手段は、前記更新情報を遊技玉の発射時間間隔よりも短い間隔で順次送信する、請求項１〜請求項６のいずれかに記載の遊技機。
【請求項８】
遊技の続行に必要な持点残数の有無を前記持点記憶手段が記憶している持点に基づいて判定する持点残数判定手段を含む、請求項１〜請求項７のいずれかに記載の遊技機。
【請求項９】
遊技禁止を指示するための情報を受信したときに、持点による遊技が行なわれない状態にするための遊技禁止手段を含む、請求項１〜請求項８のいずれかに記載の遊技機。
【請求項１０】
前記持点記憶手段が記憶している持点の値を初期値にすることを指示するための情報を前記遊技用装置より受信したことに基づいて前記持点記憶手段が記憶している持点の値を初期値にする持点初期化手段を含む、請求項１〜請求項９のいずれかに記載の遊技機。
【手続補正２】
【補正対象書類名】明細書
【補正対象項目名】００１２
【補正方法】変更
【補正の内容】
【００１２】
（１）  遊技者所有の遊技用価値（プリペイド残高、持玉数、あるいは貯玉数）を用いて持点を加算する遊技用装置（カードユニット３）と通信可能に接続するための接続部（接続部２０）を備え、持点による遊技が可能であり、入賞の発生に応じて持点が加算される遊技機（パチンコ機２）であって、
内部に封入される遊技媒体により遊技が可能であり、
遊技への使用および入賞の発生に応じた持点の変化量（加算玉数、減算玉数）を特定する特定手段（遊技機制御用のマイクロコンピュータ、加算玉数カウンタ、減算玉数カウンタ）と、
前記変化量を特定可能な更新情報（加算玉数および減算玉数を含む動作応答）を前記遊技用装置へ送信する情報送信手段（玉数制御基板１７）と、
持点を記憶する持点記憶手段（遊技玉数カウンタ）と、
持点の減算を指示するための情報（図１８の減算有を含む動作指示）、および前記遊技用装置が当該遊技用装置側で記憶している持点に対して前記遊技用価値の使用分の持点を加算をすることに連動して当該遊技用装置側より送信される持点の加算を指示するための情報（図１６、図１７の加算有を含む動作指示）を受信する指示情報受信手段（玉数制御基板１７）と、
前記持点記憶手段が記憶している持点を前記変化量に応じて更新するとともに前記持点の加算を指示するための情報に応じて加算更新する持点更新手段（玉数制御基板１７、図４）と、
持点の減算を指示するための情報を受信したときに、当該情報が減算指示する大きさの持点が前記持点記憶手段に記憶されているか否かを判定する持点判定手段（図１８；玉数制御基板１７）とを含み、
前記情報送信手段は、前記情報が減算指示する大きさの持点が前記持点記憶手段に記憶されていると前記持点判定手段によって判定されたときに持点減算の承諾応答（図１８；減算拒否ＯＦＦを含む動作応答）を前記遊技用装置へ送信することにより、前記遊技用装置に対して、当該遊技用装置側で記憶している持点から前記情報によって減算指示した持点の減算を行なわせる（図１８；遊技玉数の減算は、動作応答を待って確定）ことを可能とする。
【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
識別情報の変動表示を行ない、予め定められた特定表示結果が導出表示されたときに遊技者にとって有利な有利状態に制御する遊技機であって、
所定画像が表示されていることは視認可能であるが、当該所定画像の視認性を基準状態よりも低い視認困難状態に変化させる視認困難演出を実行する視認困難演出実行手段と、
前記所定画像として、前記視認困難演出の実行中から前記視認困難演出の実行後に亘って特別画像を表示する特別画像表示手段とを備え、
前記特別画像は、前記特定表示結果となる可能性を予告する画像であり、
前記視認困難演出の態様は複数あり、
前記視認困難演出実行手段は、
前記視認困難演出を実行するときに、前記特別画像の視認性を前記特別画像以外の前記所定画像の視認性よりも高くし、
前記有利状態に制御されるか否かに応じて異なる割合で前記視認困難演出の態様を異ならせて前記視認困難演出を実行することを特徴とする、遊技機。
【手続補正２】
【補正対象書類名】明細書
【補正対象項目名】０００１
【補正方法】変更
【補正の内容】
【０００１】
本発明は、パチンコ遊技機等の遊技機に関し、特に、識別情報の変動表示を行ない、予め定められた特定表示結果が導出表示されたときに遊技者にとって有利な有利状態に制御する遊技機に関する。
【手続補正３】
【補正対象書類名】明細書
【補正対象項目名】０００３
【補正方法】変更
【補正の内容】
【０００３】
また、この種の遊技機においては、遊技を演出するための画像表示を行なうときに、予告演出を行なう等の所定の演出目的で、表示を所定期間暗転させて画像表示を見難くするブラックアウト演出を実行するものがあった（特許文献１）。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本発明は、前述したような従来の遊技機の実情に鑑み考え出されたものであり、その目的は、画像表示による演出が行なわれるときに遊技者が違和感を持つことを防ぐことができる遊技機を提供することである。
【手続補正６】
【補正対象書類名】明細書
【補正対象項目名】０００７
【補正方法】変更
【補正の内容】
【０００７】
（１）  識別情報の変動表示を行ない、予め定められた特定表示結果が導出表示されたときに遊技者にとって有利な有利状態に制御する遊技機であって、
所定画像が表示されていることは視認可能であるが、当該所定画像の視認性を基準状態よりも低い視認困難状態に変化させる視認困難演出を実行する視認困難演出実行手段と、
前記所定画像として、前記視認困難演出の実行中から前記視認困難演出の実行後に亘って特別画像を表示する特別画像表示手段とを備え、
前記特別画像は、前記特定表示結果となる可能性を予告する画像であり、
前記視認困難演出の態様は複数あり、
前記視認困難演出実行手段は、
前記視認困難演出を実行するときに、前記特別画像の視認性を前記特別画像以外の前記所定画像の視認性よりも高くし、
前記有利状態に制御されるか否かに応じて異なる割合で前記視認困難演出の態様を異ならせて前記視認困難演出を実行する。
このような構成によれば、画像表示による演出が行なわれるときに遊技者が違和感を持つことを防ぐことができる。
また、本発明の遊技機は以下のようなものであってもよい。
各々を識別可能な複数種類の識別情報（特別図柄、演出図柄）の変動表示を行ない表示結果を導出表示し、予め定められた特定表示結果（大当り表示結果）が導出表示されたときに遊技者にとって有利な特定遊技状態（大当り遊技状態）に制御する遊技機（パチンコ遊技機１）であって、
所定画像（第１ステップアップ予告演出、第２ステップアップ予告演出、ボタン予告演出等の画像）が表示されていることは視認可能であるが、当該所定画像の視認性を基準状態よりも低い視認困難状態に変化させる視認困難演出（ブラックアウト演出）を実行する視認困難演出実行手段（演出制御用マイクロコンピュータ１００、図２５のＳ５０４，Ｓ５０６、図５０のＳ８４７、図５１のＳ１００１〜Ｓ１０１９、図５２のＳ１０３１〜Ｓ１０３３）と、
前記所定画像として、通常表示態様、または、当該通常表示態様と一部が異なり当該通常表示態様よりも遊技者にとって有利な特典（大当り、確変、時短等の特典）が付与される割合が高いことを示唆する特殊表示態様（唐草モチーフ態様）での前記所定画像を表示可能な予告演出実行手段（演出制御用マイクロコンピュータ１００、図２５のＳ５０４，Ｓ５０６、図５０のＳ８４５，Ｓ８４８〜Ｓ８５６）と、
前記予告演出実行手段による前記特殊表示態様での前記所定画像の表示と前記視認困難演出実行手段による前記視認困難演出との同時発生を禁止する禁止手段（演出制御用マイクロコンピュータ１００、図３０のＳ５０３４Ａでブラックアウト演出フラグがセットされているときはＳ５０３５〜Ｓ５０４９を実行せずにＳ５０３４Ｂに進む構成）とを備える。
【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
複数の端子部を有し、光半導体装置に用いられるリードフレームが枠体に多面付けされているリードフレームの多面付け体において、
前記端子部は、その表面に光半導体素子と接続される端子面を有し、その裏面に外部機器に実装される外部端子面を有しており、
前記リードフレームは、前記光半導体装置の外形を画定するパッケージ領域の角部のうち少なくとも１つに、前記端子部と離間した金属補強部を備え、
前記金属補強部は、接続部により前記枠体に接続されていること、
を特徴とするリードフレームの多面付け体。
【請求項２】
複数の端子部を有し、光半導体装置に用いられるリードフレームにおいて、
前記端子部は、その表面に光半導体素子と接続される端子面を有し、その裏面に外部機器に実装される外部端子面を有しており、
前記光半導体装置の外形を画定するパッケージ領域の角部のうち少なくとも１つに、前記端子部と離間した金属補強部を備えること、
を特徴とするリードフレーム。
【請求項３】
請求項２に記載のリードフレームにおいて、
前記金属補強部は、前記端子部よりも薄く形成されていること、
を特徴とするリードフレーム。
【請求項４】
請求項２又は請求項３に記載のリードフレームにおいて、
前記金属補強部は、前記角部に対応する前記端子部の角に沿うようにして形成されていること、
を特徴とするリードフレーム。
【請求項５】
請求項２から請求項４までのいずれか１項に記載のリードフレームにおいて、
前記金属補強部は、前記端子部を囲むようにして形成されること、
を特徴とするリードフレーム。
【請求項６】
請求項２から請求項５までのいずれか１項に記載のリードフレームにおいて、
前記金属補強部は、前記光半導体装置の外形を画定するパッケージ領域の外形よりも内側に設けられること、
を特徴とするリードフレーム。
【請求項７】
請求項２から請求項５までのいずれか１項に記載のリードフレームにおいて、
前記金属補強部は、平面視において、前記金属補強部の外縁の一部と前記光半導体装置の外形を画定するパッケージ領域の外形の一部とが重なるようにして設けられること、
を特徴とするリードフレーム。
【請求項８】
請求項２から請求項７までのいずれか１項に記載のリードフレームが枠体に多面付けされていること、
を特徴とするリードフレームの多面付け体。
【請求項９】
請求項８に記載のリードフレームの多面付け体において、
前記金属補強部は、接続部により前記枠体に接続されていること、
を特徴とするリードフレームの多面付け体。
【請求項１０】
請求項２から請求項７までのいずれか１項に記載のリードフレームと、
前記リードフレームの前記端子部の外周及び前記端子部間に形成される樹脂層と、
を備える樹脂付きリードフレーム。
【請求項１１】
請求項１０に記載の樹脂付きリードフレームにおいて、
前記樹脂層は、前記リードフレームの光半導体素子が接続される側の面に突出して形成されるリフレクタ樹脂部を有すること、
を特徴とする樹脂付きリードフレーム。
【請求項１２】
請求項１０又は請求項１１に記載の樹脂付きリードフレームが枠体に多面付けされていること、
を特徴とする樹脂付きリードフレームの多面付け体。
【請求項１３】
請求項１０又は請求項１１に記載の樹脂付きリードフレームと、
前記端子部のうち少なくとも１つに接続される光半導体素子と、
前記樹脂付きリードフレームの前記光半導体素子が接続される側の面に形成され、前記光半導体素子を覆う透明樹脂層と、
を備える光半導体装置。
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
第１の主面に予め形成された凹凸の表面性状を有する板状材料に、第１の主面から前記第１の主面と反対側の主面である第２の主面まで貫通する少なくとも１つの貫通孔を有する孔開き板状材料であって、
前記孔開き板状材料は、前記貫通孔の前記第１の主面への垂直投影像の輪郭上のある点における前記輪郭の接線と前記点で垂直に交わる平面における前記貫通孔の断面の形状において、
前記貫通孔の前記第１の主面への前記垂直投影像の幅である最小幅の端部を与える前記孔表面上の最小幅部と、前記貫通孔の前記孔表面が前記第１の主面上で終端となる第１の主面部と、を有し、
前記第１の主面部から前記最小幅部に至る部分に第１の凸状曲線部を含み、
前記第１の凸状曲線部の少なくとも一部および前記第１の主面上における前記孔表面以外の非孔表面が、前記凹凸の表面性状を有する孔開き板状材料。
【請求項２】
前記孔開き板状材料は、前記貫通孔の前記断面の形状において、
前記貫通孔の前記孔表面が前記第２の主面上で終端となる第２の主面部をさらに有し、
前記最小幅部から前記第２の主面部に至る部分に第２の凸状曲線部をさらに含む請求項１に記載の孔開き板状材料。
【請求項３】
前記貫通孔の前記断面の形状において、前記第１の主面部を通り前記第１の主面に垂直な法線を引き、前記最小幅部から前記法線に下ろした垂線の足から前記第１の主面部までの第１の線分長さは、前記孔開き板状材料の厚さの２０％以上である請求項１または請求項２に記載の孔開き板状材料。
【請求項４】
前記貫通孔の前記断面の形状において、前記第１の主面部を通り前記第１の主面に垂直な法線を引き、前記最小幅部から前記法線に下ろした垂線の足から前記第２の主面部から前記法線に下ろした垂線の足までの第２の線分長さは、前記孔開き板状材料の厚さの８０％以下である請求項２に記載の孔開き板状材料。
【請求項５】
前記貫通孔の前記断面の形状において、前記第１の主面部を通り前記第１の主面に垂直な法線を引き、前記最小幅部から前記法線に下ろした垂線の長さである第３の線分長さは、前記孔開き板状材料の厚さの１０％以上５００％以下である請求項１から請求項４のいずれか一項に記載の孔開き板状材料。
【請求項６】
前記孔開き板状材料は、少なくとも表面が導電体で形成されており、厚さが３ｍｍ以下である請求項１から請求項５のいずれか一項に記載の孔開き板状材料。
【請求項７】
前記貫通孔の前記第１の主面への前記垂直投影像の面積である孔面積と等面積の円の径が２ｍｍ以下である請求項１から請求項６のいずれか一項に記載の孔開き板状材料。
【請求項８】
前記孔開き板状材料は、前記第１の主面および前記第２の主面の少なくともいずれかの上に形成された突起物の高さが前記孔開き板状材料の厚さの５０％以下であり、蓄電デバイスに用いられる集電体である請求項１から請求項７のいずれか一項に記載の孔開き板状材料。
【請求項９】
請求項１から請求項８のいずれか一項に記載の孔開き板状材料の製造方法であって、
孔とその孔の周を形成するエッジとを有するダイ上に、前記第１の主面に予め形成された前記凹凸の表面性状を有する板状材料を配置し、前記板状材料側および前記ダイ側の少なくとも一方から、前記板状材料における前記ダイの孔のサイズよりも大きいサイズの領域に圧力を加えて、前記ダイの前記エッジで前記板状材料を切断することにより、前記貫通孔を前記板状材料に形成する孔開き板状材料の製造方法。
【手続補正２】
【補正対象書類名】明細書
【補正対象項目名】００１５
【補正方法】変更
【補正の内容】
【００１５】
本発明は、ある局面に従えば、第１の主面に予め形成された凹凸の表面性状を有する板状材料に、第１の主面から第１の主面と反対側の主面である第２の主面まで貫通する少なくとも１つの貫通孔を有する孔開き板状材料であって、孔開き板状材料は、貫通孔の第１の主面への垂直投影像の輪郭上のある点におけるその輪郭の接線とその点で垂直に交わる平面における貫通孔の断面の形状において、貫通孔の第１の主面への垂直投影像の幅である最小幅の端部を与える孔表面上の最小幅部と、貫通孔の孔表面が第１の主面上で終端となる第１の主面部と、を有し、第１の主面部から最小幅部に至る部分に第１の凸状曲線部を含み、第１の凸状曲線部の少なくとも一部および第１の主面上における孔表面以外の非孔表面が、凹凸の表面性状を有する孔開き板状材料である。
【手続補正３】
【補正対象書類名】明細書
【補正対象項目名】００１９
【補正方法】変更
【補正の内容】
【００１９】
本発明は、別の局面に従えば、上記の局面に従う孔開き板状材料の製造方法であって、孔とその孔の周を形成するエッジとを有するダイ上に、第１の主面に予め形成された凹凸の表面性状を有する板状材料を配置し、板状材料側およびダイ側の少なくとも一方から、板状材料におけるダイの孔のサイズよりも大きいサイズの領域に圧力を加えて、ダイのエッジで板状材料を切断することにより、貫通孔を板状材料に形成する孔開き板状材料の製造方法である。